(57)【要約】【課題】ディスク装置が耐え得る加速度の限界を大きくすること。【解決手段】ディスク１０は、ディスクテーブル５とクランパ３とによって狭持され、電気モータ６により回転される。また、クランパ３がディスク１０を保持していないとき、クランパ３は、その外周部に形成されるフランジ部３ｆが、蓋体２に形成される支持孔２ｈの内周部と係合して、蓋体２に支持される。ディスク１０から情報を読み出す場合、またはディスク１０へ情報を記録する場合においては、クランパ３とケース体１１との距離ｔ1と、クランパ３と蓋体２の支持孔２ｈが設けられる部分（ディスク保持手段支持部２ｓ）との距離ｔ2と、ディスク保持手段支持部２ｓとディスク１０との距離ｔ3とが略等しくなる。【選択図】        図４
2006107601.tif 000002
【特許請求の範囲】
【請求項１】
ディスクの回転時にはこれを保持して前記ディスクとともに回転するディスク保持手段と、
前記ディスク保持手段が前記ディスクを保持していないときには、前記ディスク保持手段を一定の位置に支持するディスク保持手段支持部と、
前記ディスク保持手段と、前記ディスク保持手段支持部とを格納する筺体と、を備え、
前記ディスクから情報を読み出す場合、または前記ディスクへ情報を記録する場合においては、
前記ディスク保持手段と前記筺体との距離と、前記ディスク保持手段と前記ディスク保持手段支持部との距離と、前記ディスク保持手段支持部と前記ディスクとの距離とが略等しいことを特徴とするディスク装置。
【請求項２】
前記ディスク保持手段支持部は筒状の部材であり、その内部に前記ディスク保持手段が備えられ、
前記ディスク保持手段が前記ディスクを保持していないときには、前記ディスク保持手段支持部の内周部と、前記ディスク保持手段の外周部とが少なくとも一部で接触して、前記ディスク保持手段支持部が前記ディスク保持手段を支持することを特徴とする請求項１に記載のディスク装置。
【請求項３】
前記ディスク保持手段の外形は略円錐台形状であり、前記ディスク保持手段の傾斜部が前記ディスク保持手段支持部に設けられる支持孔に接するように形成されてなることを特徴とする請求項２に記載のディスク装置。
【発明の詳細な説明】
【技術分野】
【０００１】
本発明は、筺体内に機器類が配置されたディスク装置に関する。
【背景技術】
【０００２】
近時において、例えば、ＣＤ（Compact Disc）やＤＶＤ（Digital Versatile Disc）等のディスクを再生、あるいは前記ディスクに記録・再生するディスク装置が広く利用されてきている。このようなディスク再生装置においては、高密度で記録された情報を再生したり、情報を高密度で記録したりする必要がある。このため、情報読み取り手段、あるいは情報記録手段は、ディスク装置に与えられる加速度に起因する読み取りあるいは書き込み不良を極力発生させない対策が施されている。
【０００３】
例えば、特許文献１に開示されているディスク装置では、弾性部材を介して、ディスクから情報を読み取る再生手段が搭載される台座を枠体に対して固定している。そして、ディスク装置に与えられる加速度に起因して枠体から伝わる振動が、前記再生手段に直接伝わらないようにしている。これにより、ある程度の大きさの加速度がディスク装置に加わっても、情報の読み取りあるいは記録が行えるようにしている。また、情報の読み取り、あるいは書き込み中に、ディスクがディスク装置内の構造物に接触しないようにしている。
【０００４】
【特許文献１】特開２００３−１０００６９号公報
【発明の開示】
【発明が解決しようとする課題】
【０００５】
しかし、より大きな加速度にディスク装置が耐え得るように改善する余地はある。そこで、本発明は、上述した課題をその一例として解決するものであって、ディスク装置が耐え得る加速度の限界を大きくすることを目的とする。
【課題を解決するための手段】
【０００６】
請求項１に記載の発明は、ディスクに記録された情報の読み込み、またはディスクへの情報の記録のうち少なくとも一方を実行するものであり、前記ディスクの回転時にはこれを保持して前記ディスクとともに回転するディスク保持手段と、前記ディスク保持手段が前記ディスクを保持していないときには、前記ディスク保持手段を一定の位置に支持するディスク保持手段支持部と、前記ディスク保持手段と、前記ディスク保持手段支持部とを格納する筺体と、を備え、前記ディスクから情報を読み出す場合、または前記ディスクへ情報を記録する場合においては、前記ディスク保持手段と前記筺体との距離と、前記ディスク保持手段と前記ディスク保持手段支持部との距離と、前記ディスク保持手段支持部と前記ディスクとの距離とが略等しいディスク駆動装置であることを特徴とする。
【発明を実施するための最良の形態】
【０００７】
以下、この発明につき、図面を参照しつつ詳細に説明する。なお、この発明を実施するための最良の形態によりこの発明が限定されるものではない。また、以下に説明する実施の形態における構成要素には、当業者が容易に想定できるもの、あるいは実質的に同一のものが含まれる。また、本発明は、ディスク、磁気ディスク、光磁気ディスクその他のディスクに情報を記録し、あるいは情報を記録するディスク装置全般に対して適用でき、ディスクの種類は問わない。
【０００８】
（実施の形態）
この実施の形態に係るディスク装置は、ディスクから情報を読み出す場合、あるいはディスクに情報を記録する場合においては、ディスク保持手段と筺体との距離ｔ1と、ディスク保持手段とディスク保持手段支持部との距離ｔ2と、ディスク保持手段支持部とディスクとの距離ｔ3とを略等しくする点に特徴がある。
【０００９】
図１は、この実施の形態に係るディスク装置を示す全体図である。図２は、この実施の形態に係るディスク装置のケース体を外した状態を示す全体図である。図３は、この実施の形態に係るディスク装置の内部構成を示す概略図である。このディスク装置１００は、ディスクであるＣＤやＤＶＤ等の光ディスク（以下ディスクという）１０に記録された情報を再生する。なお、このディスク装置１００は、ディスク１０に記録された情報の再生、またはディスク１０への情報の記録のうち、少なくとも一方を実現できればよい。
【００１０】
図１に示すように、ディスク装置１００は、パネル１８にケース体１１が取り付けられている。ケース体１１の外形形状は略６面体であり、ディスクの取り出し側にはパネル１８が備えられる。図２に示すように、ケース体１１を取り除くと、クランパ３を支持する蓋体２が現れる。図３に示すように、ケース体１１内には装置本体１０１が格納される。
【００１１】
装置本体１０１は、ディスク１０の駆動手段や、ディスク１０に記録された情報を読み出す情報読み取り手段等を備えており、ディスク装置１００の中核をなす部分である。装置本体１０１は、ディスク駆動手段、情報読み取り手段、回路基板等が取り付けられる枠体１と、枠体１に取り付けられ、ディスク保持手段の一部であるクランパ３を支持するとともに、回転中のディスク１０を保護する蓋体２とを備える。枠体１は、例えば樹脂材料により作られる。また、蓋体２は、伝熱を考慮して熱の良導体である金属材料によって作られることが好ましいが、これに限られず樹脂材料によって製造してもよい。
【００１２】
ディスク駆動手段である電気モータ６および情報読み取り手段であるピックアップ７は、例えば金属板により構成される台座１２に取り付けられる。電気モータ６は、例えばスピンドルモータ等であり、ディスク保持手段を介して、これに保持されるディスク１０を回転させる。この実施の形態において、ディスク保持手段は、クランパ３と、クランパ３と吸着してディスク１０を狭持するディスクテーブル５と、ディスクテーブル５から突出するディスク保持ボス４とを含んで構成される。
【００１３】
クランパ３は略円形であり、ディスク１０から情報を読み込まない待機状態のときには、クランパ３の外周部に張り出したフランジ部が蓋体２に穿孔されたクランパ支持孔の内周部と係合する。これによって、前記待機状態において、クランパ３は前記蓋体２に支持される。ディスク保持ボス４は、ディスク１０の中心に穿孔された軸孔と嵌合する。ディスクテーブル５には磁石５Ｍが組み込まれており、ディスクテーブル５の磁石と、クランパ３の金属部の吸着力とにより、クランパ３がディスク１０を挟持すると、ディスク１０がディスク保持手段に保持される。
【００１４】
ピックアップ７は、レーザーダイオード等の光源と、この光源からの光を収束してディスク１０に照射するレンズと、ディスク１０から反射された光を検出する光ピックアップとを含んで構成される。そして、ピックアップ７は、ディスク１０の回転中に、その中心部から外側へ向かってディスク１０の径方向と平行に直線移動する。その過程で、ピックアップ７は、ディスク１０の情報記録面に記録された情報を読み取る。
【００１５】
台座１２は、枠体１と一体に形成される取り付け台座１４に、例えばゴム等の弾性材料で作られる防振部材１５を介して取り付けられる。これによって、枠体１から台座１６、および台座１２を介してピックアップ７へ伝達する外部からの衝撃や振動が減衰され、また、ディスク１０の蓋体２等に対する接触を抑えることができる。その結果、ピックアップ７はディスク１０に記録された情報を、より確実に読み取ることができる。
【００１６】
枠体１には、回路基板１６が取り付けられる。回路基板１６は、枠体１の外側部分であって、前記台座１２とケース体１１との間に配置される。回路基板１６には、ＣＰＵ（Central Processing Unit：中央演算装置）やコンデンサ等の電気・電子部品１７が取り付けられており、電気モータ６やピックアップ７の動作を制御したり、ピックアップ７によって読み取ったディスク１０の情報を処理したりする。
【００１７】
装置本体１０１には、ディスク１０を載置するディスクトレイ９が備えられる。ディスクトレイ９は、トレイ駆動手段であるトレイ駆動モータ１３によって駆動されて、ディスク装置１００のパネル１８側へ送り出される。この位置で、ディスクトレイ９にディスク１０を載置し、また、ディスクトレイ９からディスク１０取り出す。ディスクトレイ９にディスク１０が載置されると、トレイ駆動モータ１３によってディスクトレイ９は装置本体１０１内へ引き込まれる。そして、前記ディスク保持手段によって保持された後、前記電気モータ６によって回転し、ピックアップ７により情報が読み出される。
【００１８】
図４は、この実施の形態に係るディスク装置のディスク保持状態を示す拡大図である。図４は、ディスク１０から情報を読み取る状態を示している。この状態において、ディスク１０の回転中心軸と、電気モータ６の回転中心軸と、クランパ３の回転中心軸と、ディスクテーブル５の回転中心軸とは一致する。また、図４は、ディスク装置１００をいわゆる横置き、すなわち、ディスク１０の回転中心軸Ｚが重力の作用方向と略平行となるようにディスク装置１００を設置した状態を示している。図５は、この実施の形態に係るクランパと蓋体の支持孔との関係を示す平面図である。
【００１９】
図４、図５に示すように、クランパ３は、蓋体２に設けられた支持孔２ｈに取り付けられ、クランパ３のフランジ部３ｆが支持孔２ｈの内周部と係合するようになる。すなわち、図５に示すように、クランパ３のフランジ径Ｄ3は、支持孔２ｈの内径Ｄ2よりも大きい。なお、蓋体２の支持孔２ｈが設けられる部分が、ディスク保持手段支持部２ｓとなる。
【００２０】
ディスク保持ボス４のクランパ３側の面には、位置決め用凹部４ｈが形成されている。また、クランパ３の中心軸Ｚｃ上には、ディスク保持ボス４側に設けられる前記位置決め用凹部４ｈと嵌め合わされる位置決め用凸部３ｔが設けられる。ディスク１０が、クランパ３とディスクテーブル５とで狭持される際には、前記位置決め用凸部３ｔが前記位置決め用凹部４ｈに導かれる。そして、ディスクテーブル５とクランパ３とに前記ディスク１０が狭持されると、電気モータ６の回転軸と、クランパ３の中心軸とが一致する。
【００２１】
上述したように、ディスク１０から情報を読み取る場合、ディスク１０は、クランパ３とディスクテーブル５とによって挟持されて、電気モータ６により回転される。この実施の形態においては、ディスク１０から情報を読み取る場合には、クランパ３とケース体１１との距離ｔ1と、クランパ３とディスク保持手段支持部２ｓとの距離ｔ2と、ディスク保持手段支持部２ｓとディスク１０との距離ｔ3とが、略等しくなるようにしてある。すなわち、ｔ1≒ｔ2≒ｔ3となる。ここで、「略等しく」とは、ｔ1、ｔ2、ｔ3のうち一つを基準とした場合、基準とした距離に対して、他の２つがそれぞれ±１０%〜１５％の範囲にあることをいう。なお、この説明においては、ケース体１１が筺体に相当する。
【００２２】
前記距離ｔ1、ｔ2、ｔ3のうち、少なくとも一つの寸法が他の寸法と大きく異なると、ディスク装置１００が回転中心軸Ｚ方向の加速度を受けた場合、前記距離ｔ1、ｔ2、ｔ3のうち最も小さい寸法によって耐加速度限界が決定される。すなわち、前記距離ｔ1、ｔ2、ｔ3のうち最も小さい部分において、蓋体２またはケース体１１と、ディスク１０またはクランパ３とが接触する。
【００２３】
しかし、この実施の形態のように、ｔ1≒ｔ2≒ｔ3とすれば、ディスク１０の回転中心軸Ｚ方向の加速度を受けた場合、クランパ３とケース体１１とが接触する距離と、クランパ３と蓋体２とが接触する距離と、蓋体２とディスク１０とが接触する距離とが略等しくなる。その結果、前記回転中心軸Ｚ方向の加速度を受けた場合、蓋体２またはケース体１１と、ディスク１０またはクランパ３とは略同時に接触することになり、それぞれの耐加速度限界を略等しくできる。これにより、十分な耐加速度限界を確保できるとともに、ディスク装置１００の高さを低くして、これを小型化することもできる。ディスク装置１００を横置きとした場合、例えば、クランパ３の厚さや蓋体２の寸法等を調整することで、ｔ1≒ｔ2≒ｔ3とすることができる。
【００２４】
ここで、耐加速度限界は、ディスク装置１００が耐え得る加速度の大きさを意味し、より具体的には、情報の読み取りや情報の記録不良が発生したり、ディスク１０の接触が発生したりするまでの加速度の大きさを表す。また、ディスク装置１００の高さとは、ディスク１０の回転中心軸方向におけるディスク装置１００の寸法をいう。
【００２５】
ところで、ディスク装置１００をいわゆる縦置き、すなわち、ディスク１０の回転中心軸Ｚが重力の作用方向と略直交するようにディスク装置１００を設置した状態では、ｔ1≒ｔ2≒ｔ3を実現しようとすると、次のような問題が生ずる。図６、図７は、ディスク装置を縦置きした場合のディスク保持状態を示す説明図である。ディスク１０が狭持される場合、クランパ３がディスクテーブル５に内蔵された磁石５Ｍ（図３参照）に吸着される。ディスク装置１００を縦置きとした場合、クランパ３は、蓋体２の支持孔２ｈに、クランパ３のテーパー部３ｃでガイドされる。このため、クランパ３の厚みｈが十分でないと、ディスク１０を狭持する際に、クランパ３はディスクテーブル５に対して大きなずれ（図６中のＺとＺｃとの差）を生じ、ディスク１０を狭持できないという問題がある。
【００２６】
クランパ３とディスクテーブル５とのずれを抑制するため、蓋体２の支持孔２ｈの内径を小さくする方法もある。しかし、クランパ３と支持孔２ｈとの隙間が小さくなる結果、ディスク１０の回転中心軸Ｚと直交する方向の耐加速度限界を十分に確保できない。また、図７に示すクランパ３ｘのように、図６に示すクランパ３のテーパー部３ｃを除いて、円筒状のクランパ３ｘとすることにより、クランパ３ｘとディスクテーブル５とのずれを抑制する方法もある。しかし、縦置きの場合にはディスク１０がディスクトレイ９のディスク載置面から浮いてしまい、ディスク１０を装置内へ搬送すると、これがクランパ３ｘと接触してしまうおそれがある（図７）。このときに、図７に示すクランパ３ｘのように、テーパー部を除いてしまうと、ディスク１０の接触時にクランパ３ｘが蓋体２側へ移動しないので、ディスク１０とクランパ３ｘとでロックしてしまうおそれがある。
【００２７】
これらの問題点を解決するためには、クランパにテーパー部を設け、このテーパー部を搬送中のディスクに接触させてクランパを退避できるようにするとともに、縦置き時のためにクランパの厚さを十分に確保して、クランパの円筒部で支持孔２ｈにガイドさせるようにすればよい。しかし、このようにすると、クランパを厚くした分、ディスク１０から情報を読み取る位置が蓋体２から離れる結果、蓋体２とディスク１０との距離ｔ3（図４参照）が必要以上に大きくなってしまう。その結果、ディスク駆動装置の高さが大きくなってしまう。また、耐加速度限界はクランパ３とケース体１１との距離ｔ1、またはクランパ３と蓋体２との距離ｔ2のうち小さい方によって規制されてしまう。その結果、ディスク駆動装置の高さが大きくなっても、耐加速度限界の向上には結びつかない。
【００２８】
そこで、この実施の形態においては、次のような構成を採用する。この実施の形態に係るクランパの支持構造は、次のような構成である。すなわち、蓋体に設けられる筒状のディスク保持手段支持部にディスク保持手段を格納する。そして、ディスクから情報を読み込まない待機状態のときには、ディスク保持手段の外周部とディスク保持手段支持部の内周部とを接触させて、クランパを支持する。
【００２９】
図８（ａ）〜図８（ｃ）、図９は、この実施の形態に係るクランパの支持構造を示す説明図である。いずれの図においても、矢印Ｇ方向が重力の作用方向である。なお、この例では、蓋体２が筺体に相当する。図８（ｂ）に示すように、ディスク保持手段支持部であるクランパ支持部材２０は、円筒状の部材であり、蓋体２に取り付けられる。クランパ支持部材２０が蓋体２と取り付けられる側の反対側には、支持孔２０ｈが開口している。
【００３０】
図８（ｂ）に示すように、クランパ３は、外周部にフランジ部３ｆを備えており、円筒状のクランパ支持部材２０内に格納される。なお、図８（ｃ）に示すように、平面視が四角形の筒状の部材で、クランパ支持部材２１を構成してもよい。前記待機状態のとき、すなわち、クランパ３がディスク１０を保持していないときには、クランパ３のフランジ外周部（ディスク保持手段の外周部に相当）３ｆｏとクランパ支持部材２０の内周部２０ｉとが、少なくとも一部で接触する。これによって、クランパ支持部材２０がクランパ３を支持する。
【００３１】
図８（ａ）、図８（ｂ）に示す状態において、ディスク１０の回転中心軸Ｚからクランパ支持部材２０の内周部２０ｉまでの距離をｌ1と、クランパ３の半径をｒ3とした場合、前記距離ｌ1と前記半径ｒ3との差ｒｃの最大限の大きさは、ディスク１０を狭持する際に、ディスク保持ボス４側に設けられる位置決め用凹部４ｈの内側へクランパ３の位置決め用凸部３ｔの外側が接する程度である。より好ましくは、前記ｒｃの大きさは、ディスク１０を狭持する際には、位置決め用凸部３ｔが位置決め用凹部４ｈへ滑らかに入り込む程度とする。
【００３２】
図９は、図８（ａ）、図８（ｂ）等に示すクランパの支持構造で、ディスク１０を狭持した状態を示している。このように、図８（ａ）、図８（ｂ）等に示すクランパの支持構造によれば、クランパ３の厚さｈを無闇に大きくしなくとも、クランパ支持部材２０によってクランパ３とディスクテーブル５とのずれを許容範囲内に維持できる。これによって、クランパ支持部材２０とディスク１０との距離ｔ3が必要以上に大きくなることはない。その結果、ディスク１０を狭持して情報を読み込む際において、クランパ３と筺体である蓋体２との距離ｔ1と、クランパ３とクランパ支持部材２０との距離ｔ2と、クランパ支持部材２０とディスク１０との距離ｔ3とが、略等しくなるように設定できる。
【００３３】
これによって、ディスク装置の高さを小さくすることができ、また、かかる方向の耐加速度限界も十分確保することができる。また、クランパ支持部材２０によってクランパ３を支持するので、クランパ支持部材２０に設けた支持孔２０ｈは、クランパ３の支持には関与しない。これによって、クランパ３とクランパ支持部材２０の内周部、またはクランパ３と支持孔２０ｈとの隙間ｔ4を十分に確保できるので、回転中心軸Ｚと直交する方向の耐加速度限界も十分に確保できる。
【００３４】
図１０は、この実施の形態に係る、他のクランパの支持構造を示す説明図である。この例では、図１０に示すように、クランパ３ａは、傾斜部３ｓを備えており、外形は略円錐台形状である。そして、図１０に示すように、クランパ３ａはクランパ支持部材２０の内部に配置されるとともに、傾斜部３ｓがクランパ支持部材２０の支持孔２０ｈと接する。これにより、クランパ３ａが、クランパ支持部材２０の外に脱落することを防止する。
【００３５】
クランパ３ａの外周部３ａｏをクランパ支持部材２０の内周部２０ｉで支持するようにしてもよい。このようにすれば、クランパ３ａにフランジ部を設ける必要はないので、クランパ３ａの製造が容易になるとともに、クランパ３ａの製造に用いる材料も少なくすることができる。また、ディスク装置を横置きにした場合において、クランパ３がディスク１０を支持していないときには、クランパ３の自重によってクランパ３が支持孔２０ｈに押し付けられる。このとき、傾斜部３ｓが支持孔２０ｈに押し付けられるので、クランパ３の中心軸Ｚｃと支持孔２０ｈの中心軸Ｚｇとが一致するようになる。その結果、ディスクテーブル５がディスク１０を狭持するときには、ディスクテーブル５とクランパ３ａとの芯出しが容易になる。
【００３６】
以上、この実施の形態では、ディスクから情報を読み出す場合、あるいはディスクに情報を記録する場合においては、ディスク保持手段と筺体との距離ｔ1と、ディスク保持手段とディスク保持手段支持部との距離ｔ2と、ディスク保持手段支持部とディスクとの距離ｔ3とを略等しくする。これによって、ディスクがディスク保持手段支持部に接触したり、ディスク保持手段が筺体に接触したりする場合の耐加速度限界を略等しくできる。その結果、ディスク装置の耐加速度限界も十分確保することができるとともに、ディスク装置の高さを小さくすることができる。
【００３７】
また、筒状のディスク保持手段支持部の内部にディスク保持手段を配置し、ディスク保持手段の外周部とディスク保持手段支持部の内周部との少なくとも一部を接触させて、ディスク保持手段を支持する。これにより、ディスク装置を縦置きにした場合、ディスク保持手段支持部に設けた支持孔は、ディスク保持手段の支持には関与しない。これによって、ディスク保持手段と支持孔との隙間ｔ4を十分に確保できるので、ディスクの回転中心軸Ｚと直交する方向の耐加速度限界も十分に確保できる。
【図面の簡単な説明】
【００３８】
【図１】この実施の形態に係るディスク装置を示す全体図である。
【図２】この実施の形態に係るディスク装置のケース体を外した状態を示す全体図である。
【図３】この実施の形態に係るディスク装置の内部構成を示す概略図である。
【図４】この実施の形態に係るディスク装置のディスク保持状態を示す拡大図である。
【図５】この実施の形態に係るクランパと蓋体の支持孔との関係を示す平面図である。
【図６】ディスク装置を縦置きした場合のディスク保持状態を示す説明図である。
【図７】ディスク装置を縦置きした場合のディスク保持状態を示す説明図である。
【図８（ａ）】この実施の形態に係るクランパの支持構造を示す説明図である。
【図８（ｂ）】この実施の形態に係るクランパの支持構造を示す説明図である。
【図８（ｃ）】この実施の形態に係るクランパの支持構造を示す説明図である。
【図９】この実施の形態に係るクランパの支持構造を示す説明図である。
【図１０】この実施の形態に係る、他のクランパの支持構造を示す説明図である。
【符号の説明】
【００３９】
１  枠体
２  蓋体
２ｈ  支持孔
２ｓ  ディスク保持手段支持部
３、３ａ、３ｘ  クランパ
３ｆ  フランジ部
３ｓ  傾斜部
３ａｏ  外周部
４  ディスク保持ボス
５  ディスクテーブル
６  電気モータ
７  ピックアップ
９  ディスクトレイ
１０  ディスク
１１  ケース体
２０、２１  クランパ支持部材
２０ｈ  支持孔
２０ｉ  内周部
１００  ディスク装置
１０１  装置本体
【図１】
2006107601.tif 000003
【図２】
2006107601.tif 000004
【図３】
2006107601.tif 000005
【図４】
2006107601.tif 000006
【図５】
2006107601.tif 000007
【図６】
2006107601.tif 000008
【図７】
2006107601.tif 000009
【図８（ａ）】
2006107601.tif 000010
【図８（ｂ）】
2006107601.tif 000011
【図８（ｃ）】
2006107601.tif 000012
【図９】
2006107601.tif 000013
【図１０】
2006107601.tif 000014